【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
ビデオプレゼンテーションを取り込むための方法であって、
ビデオ取り込みモジュールが、ビデオ情報を含むと共に１つのプレゼンテーションに関連する信号を収集する工程と、
画像サンプリングモジュールが、少なくとも１つの画像を前記信号から生成する工程と、
更新モジュールが、前記画像について１つ以上の分類基準を決定する工程と、
前記更新モジュールが、前記画像を前記分類基準に関連付けてデータベースに保存する工程と、
を含む方法。
【請求項２】
コンピュータを、
ビデオ情報を含むと共に１つのプレゼンテーションに関連する信号を収集するビデオ取り込みモジュールと、
少なくとも１つの画像を前記信号から生成する画像サンプリングモジュールと、
前記画像について１つ以上の分類基準を決定し、前記画像を前記分類基準に関連付けてデータベースに保存する更新モジュールと、
として機能させるためのプログラム。
【請求項３】
前記画像は前記プレゼンテーションにおけるスライドを含む請求項２に記載のプログラム。
【請求項４】
前記分類基準は前記画像内のテキストを含む請求項２に記載のプログラム。
【請求項５】
前記分類基準は前記画像の視覚的な特徴を含む請求項２に記載のプログラム。
【請求項６】
前記分類基準は前記プレゼンテーションが示された時間を含む請求項２に記載のプログラム。
【請求項７】
更に、検索照会を受信し、前記プレゼンテーションの内容について、前記検索照会と前記分類基準との間の類似性にしたがってプレゼンテーションの内容を返信する入出力モジュールとして前記コンピュータを機能させることを含む請求項２に記載のプログラム。
【請求項８】
更に、前記画像を前記プレゼンテーションの視聴者側のコンピュータに送信し、前記視聴者側のコンピュータから前記画像についての注釈を受け取る入出力モジュールとして前記コンピュータを機能させることを含む請求項２に記載のプログラム。
【請求項９】
前記更新モジュールが、前記画像に関連させて前記注釈を前記データベースに保存する工程を更に含む請求項８に記載のプログラム。
【請求項１０】
前記分類情報はメタデータを含む請求項２に記載のプログラム。
【請求項１１】
前記ビデオ取り込みモジュールが、音声信号を取り込む工程を更に含み、
前記更新モジュールが、前記音声信号を、前記音声信号が取り込まれる時間とほぼ同時に取り込まれる画像の分類基準に関連させて前記データベースに保存する工程を更に含む、請求項２に記載のプログラム。
【請求項１２】
更に、前記画像についてのオーバーレイを受け取る入出力モジュールとして前記コンピュータを機能させることを含み、
前記更新モジュールが、前記オーバーレイを前記画像に関連付けて前記データベースに保存する工程を更に含む、
請求項２に記載のプログラム。
【請求項１３】
前記画像サンプリングモジュールが、前記信号について内容の種類を判定する工程を更に含む請求項２に記載のプログラム。
【請求項１４】
前記分類基準はプレゼンテーションが示されたミーティングの情報を含む請求項２に記載のプログラム。
【請求項１５】
前記ビデオ取り込みモジュールが、音声信号を取り込む工程を更に含み、
前記画像サンプリングモジュールが、前記音声信号の特徴を抽出する工程を更に含み、
前記更新モジュールが、前記抽出された特徴に関連付けて前記音声信号を前記データベースに保存する工程を更に含む、
請求項２に記載のプログラム。
【請求項１６】
ビデオプレゼンテーションを保存するためのシステムであって、
画像を保存するデータベースと、
１つのプレゼンテーションに関連するデータ信号を少なくとも１つの画像に変換するよう構成された画像取り込みモジュールと、
更新モジュールと、を含み、
前記更新モジュールが、前記画像について１つ以上の分類基準を決定し、前記画像を前記分類基準に関連付けて前記データベースに保存するよう構成されたことを特徴とするシステム。
【請求項１７】
前記画像はプレゼンテーションにおけるスライドを含む請求項１６に記載のシステム。
【請求項１８】
前記分類基準は前記画像内のテキストを含む請求項１６に記載のシステム。
【請求項１９】
前記分類基準は前記画像の視覚的な特徴を含む請求項１６に記載のシステム。
【請求項２０】
前記分類基準は前記プレゼンテーションが示された時間を含む請求項１６に記載のシステム。
【請求項２１】
検索照会を受信し、前記プレゼンテーションの内容について、前記検索照会と前記分類基準との間の類似性にしたがってプレゼンテーションの内容を返信するように構成された入出力モジュールを更に含む請求項１６に記載のシステム。
【請求項２２】
前記画像を前記プレゼンテーションの視聴者側のコンピュータに送信し、前記視聴者側のコンピュータから前記画像についての注釈を受け取るように構成された入出力モジュールを更に含む請求項１６に記載のシステム。
【請求項２３】
前記更新モジュールはさらに、前記注釈を前記画像に関連させて前記データベースに保存するように構成されている請求項２２に記載のシステム。
【請求項２４】
前記分類情報はメタデータを含む請求項１６に記載のシステム。
【請求項２５】
前記画像取り込みモジュールはさらに、音声信号を取り込み、
前記更新モジュールはさらに、前記音声信号を、前記音声信号が取り込まれる時間とほぼ同時に取り込まれる画像の分類基準に関連させて前記データベースに保存するように構成されている請求項１６に記載のシステム。
【請求項２６】
画像についてのオーバーレイを受け取るように構成された入出力モジュールを更に含み、
前記更新モジュールはさらに、前記オーバーレイを前記画像に関連付けて前記データベースに保存するように構成されている請求項１６に記載のシステム。
【請求項２７】
前記信号を変換する際、前記画像取り込みモジュールはさらに、前記信号について内容の種類を判定する請求項１６に記載のシステム。
【請求項２８】
前記分類基準は、プレゼンテーションが示されたミーティングの情報を含む請求項１６に記載のシステム。
【請求項２９】
前記画像取り込みモジュールはさらに、音声信号を取り込み、前記音声信号の特徴を抽出するように構成され、
前記更新モジュールはさらに、前記抽出された特徴に関連付けて前記音声信号を保存するように構成されている請求項１６に記載のシステム。
【請求項３０】
ビデオプレゼンテーションを取り込むための方法であって、
ビデオ取り込みモジュールが、ビデオ情報を含むと共に１つのプレゼンテーションに関連する信号を収集する工程と、
画像サンプリングモジュールが、前記信号からメディアの種類を判定する工程と、
前記画像サンプリングモジュールが、該メディアの種類を判定する工程に応じて、画像を前記信号から生成する工程と、
更新モジュールが、前記画像から１つ以上のメタデータを抽出する工程と、
前記更新モジュールが、前記画像を前記メタデータに関連付けてデータベースに保存する工程と、
を含む方法。
【請求項３１】
ビデオプレゼンテーションを取り込むための方法であって、
ビデオ取り込みモジュールが、ビデオ情報を含むと共に１つのプレゼンテーションに関連する信号を収集する工程と、
画像サンプリングモジュールが、前記信号内のプレゼンテーション要素が静的又は動的であるかを判定する工程と、
前記画像サンプリングモジュールが、前記プレゼンテーション要素が静的であるとき、該プレゼンテーション要素から画像を生成する工程と、
前記画像サンプリングモジュールが、前記プレゼンテーション要素が動的であるとき、該プレゼンテーション要素からビデオクリップを生成する工程と、
更新モジュールが、前記プレゼンテーション要素に関連する１つ以上の特徴を判定する工程と、
を含むことを特徴とする方法。
【請求項３２】
前記プレゼンテーション要素が動的であるとき、前記更新モジュールが、前記ビデオクリップを前記特徴に関連付けてデータベースに保存する工程をさらに含む請求項３１に記載の方法。
【請求項３３】
前記プレゼンテーション要素が静的であるとき、前記更新モジュールが、前記画像を前記特徴に関連付けてデータベースに保存する工程をさらに含む請求項３１に記載の方法。
【請求項３４】
前記画像は、前記プレゼンテーションにおけるスライドに対応する請求項３１に記載の方法。
【請求項３５】
前記特徴は前記画像又はビデオクリップ内のテキストを含む請求項３１に記載の方法。
【請求項３６】
前記特徴は前記画像又はビデオクリップの視覚的特徴を含む請求項３１に記載の方法。
【請求項３７】
前記特徴は前記画像又はビデオクリップが示される時間を含む請求項３１に記載の方法。
【請求項３８】
入出力モジュールが、プレゼンテーション内容について検索照会を受信する工程と、
前記入出力モジュールが、前記検索照会と前記プレゼンテーション要素の特徴との類似性に応じて前記プレゼンテーション要素を返信する工程と、
をさらに含む請求項３１に記載の方法。
【請求項３９】
前記更新モジュールが、前記プレゼンテーション要素が静的又は動的かに応じて、前記プレゼンテーション要素についての分類を生成する工程をさらに含む請求項３１に記載の方法。
【請求項４０】
入出力モジュールが、前記プレゼンテーション要素についての補充情報を受け取る工程と、
前記入出力モジュールが、前記プレゼンテーション要素と前記補充情報を含む信号を送信する工程と、
をさらに含む請求項３１に記載の方法。
【請求項４１】
前記更新モジュールが、前記補充情報を前記画像又はビデオクリップに関連付けてデータベースに保存する工程をさらに含む請求項３１に記載の方法。
【請求項４２】
前記ビデオ取り込みモジュールが、前記プレゼンテーション要素に関連する音声信号を取り込む工程と、
前記更新モジュールが、前記音声信号をデータベースに保存する工程と、
をさらに含む請求項３１に記載の方法。
【請求項４３】
入出力モジュールが、プレゼンテーション要素についての検索照会を受信する工程と、
前記入出力モジュールが、前記検索照会と画像又はビデオクリップの特徴との間の類似性にしたがって前記画像又はビデオクリップを返信する工程と、
前記入出力モジュールが、前記画像又はビデオクリップに関連する音声信号を返信する工程と、
をさらに含む請求項４３に記載の方法。
【請求項４４】
入出力モジュールが、前記プレゼンテーション要素についての補充情報を受け取る工程と、
前記入出力モジュールが、検索照会を受信する工程と、
前記入出力モジュールが、前記検索照会と前記補充情報との類似性に応じて前記補充情報を返信する工程と、
をさらに含む請求項３１に記載の方法。
【請求項４５】
ビデオプレゼンテーションを取り込むための方法であって、
ビデオ取り込みモジュールが、ビデオ情報を備むと共に１つのプレゼンテーションに関連する信号を収集する工程と、
画像サンプリングモジュールが、前記信号内のプレゼンテーション要素が静的又は動的であるかを判定する工程と、
前記画像サンプリングモジュールが、前記プレゼンテーション要素が静的であるとき、該プレゼンテーション要素から画像を生成する工程と、
前記画像サンプリングモジュールが、前記プレゼンテーション要素が動的であるとき、該プレゼンテーション要素からビデオクリップを生成する工程と、
更新モジュールが、前記プレゼンテーション要素に関連する１つ以上の特徴を判定する工程と、
を含むことを特徴とする方法。